(57)【要約】【課題】集塵袋の未装着による誤使用を防止しつつ集塵袋の着脱容易化を図る。【解決手段】集塵室３内に装着され、口枠８を備えた集塵袋９と、前記集塵室３上方を回動自在に覆う蓋体６とを備え、集塵室３に集塵袋が装着されていないときに蓋体６が閉状態とならないよう防止する突起部１２Ａと、集塵室３に集塵袋９が装着されていることを検知する検知部１２Ｂとを有する集塵袋検知体１２を前記蓋体６に設け、前記検知部１２Ｂが前記集塵室３に集塵袋９が装着されていることを検知すると、前記突起部１２Ａは前記蓋体６が閉状態となる位置に移動する電気掃除機とした。これにより、集塵袋９の未装着では蓋体６を閉じることが出来ないから誤使用を防止できる上に、集塵袋９の着脱が一動作で行え、その着脱が容易なものとなる。【選択図】図１
2006314350.tif 000002
【特許請求の範囲】
【請求項１】
吸気口を有する集塵室及び塵埃吸引用の電動送風機を収納する電動送風機収納室を有する掃除機本体と、前記集塵室内に装着され、当該集塵室の前記吸気口に対応する吸気孔を有する口枠付きの集塵袋と、前記集塵室上方を開閉自在に覆う蓋体とを備え、前記蓋体には集塵袋検知体を設け、この集塵袋検知体は前記集塵室に集塵袋が装着されていないときに蓋体が閉状態とならないように防止する突起部及び前記集塵室に集塵袋が装着されていることを検知する検知部とを有していて、前記検知部が前記集塵室に集塵袋が装着されていることを検知すると、前記突起部は前記蓋体が閉状態となる位置に移動する電気掃除機。
【請求項２】
集塵袋検知体は、蓋体が閉状態となるにつれ集塵袋の口枠に当接して検知部が移動し、その移動によって突起部が蓋体閉状態可能な位置まで移動する構成とした請求項１記載の電気掃除機。
【請求項３】
集塵袋検知体は、突起部と検知部との間を回動自在に支持するとともに、突起部は検知部が集塵室に集塵袋が装着されていることを検知しないときには蓋体が閉状態とならない所に位置する構成とした請求項１または２記載の電気掃除機。
【請求項４】
集塵袋検知体は、弾性体によって集塵袋未装着時には突起部が蓋体閉状態とできない所に位置するように附勢した請求項３記載の電気掃除機。
【請求項５】
集塵袋検知体は、弾性体によって集塵袋未装着時には突起部が蓋体閉状態とできない所に位置するように附勢するとともに、検知部の一部に集塵袋の口枠に係合して口枠を集塵室の吸気口側に附勢する請求項３記載の電気掃除機。
【請求項６】
集塵室の吸気口左右両側に集塵袋の位置決め部を設け、この位置決め部同志間の上方を開放状態とした請求項１〜５のいずれか１項記載の電気掃除機。
【発明の詳細な説明】
【技術分野】
【０００１】
本発明は集塵室に対する集塵袋の装着、取出し操作を容易にする電気掃除機に関するものである。
【背景技術】
【０００２】
従来の電気掃除機は、前部に吸気口を有する掃除機本体で、集塵室、電動送風機を内蔵する電動送風機収納室を形成している。前記集塵室には、集塵室の底面にリブを設けたものや、口枠の左右を固定するために、集塵室底面から集塵室の略開放部付近の高さまで箱状のリブを設け、それらにより集塵袋の口枠を集塵室に仮固定を行っている。次に口枠の上端部分を集塵室に回動自在に固定された口枠押えにより口枠を固定しているものであった(例えば、特許文献１参照)。そしてこのような電気掃除機には集塵室に集塵袋を未装着の状態で蓋を閉じて使用しようとしても蓋が閉じらないようにして誤使用を防止する機能を付加したものが見られる。
【特許文献１】特許第３４２４１５４号公報
【発明の開示】
【発明が解決しようとする課題】
【０００３】
しかしながら、上記構成では、上記のような口枠押さえを有するものは、集塵袋の着脱には口枠押えを回動させた後に口枠を挿入するという二動作が必要で、ワンタッチで集塵袋の着脱が出来ないというものであった。
【０００４】
また、口枠押さえが口枠の上部に位置するものにあっては、集塵袋を挿入する際に口枠押えが邪魔となり、上方より集塵袋の位置を決める位置決めリブおよび、吸気口が口枠押さえにより隠れ、目視しにくいために使用者は、感覚により集塵袋を取りつけていた。そのため、誤挿入が発生し、吸気孔と吸気口がずれそれによりゴミ漏れが起こり、電動送風機の故障、電気掃除機の故障の原因となっていた。また、ゴミが一杯になった、集塵袋を取り出す際に、吸気孔に口枠押さえが引っかかり、取り出しにくいだけでなく、集塵袋内のゴミがこぼれてしまうこともあり、使用者に不信感を与えるものであり、集塵室にこぼれたゴミが電動送風機に直接侵入しそれにより電気掃除機の故障につながるものであった。
【０００５】
本発明は上記課題を解決するもので、集塵袋の未装着による誤使用を防止しつつ集塵袋の着脱容易化を図って使い勝手を向上した電気掃除機を提供することを目的とする。
【課題を解決するための手段】
【０００６】
上記従来の課題を解決するために本発明は、吸気口を有する集塵室及び塵埃吸引用の電動送風機を収納する電動送風機収納室を有する掃除機本体と、前記集塵室内に装着され、当該集塵室の前記吸気口に対応する吸気孔を有する口枠付きの集塵袋と、前記集塵室上方を開閉自在に覆う蓋体とを備え、前記蓋体には集塵袋検知体を設け、この集塵袋検知体は前記集塵室に集塵袋が装着されていないときに蓋体が閉状態とならないように防止する突起部及び前記集塵室に集塵袋が装着されていることを検知する検知部とを有していて、前記検知部が前記集塵室に集塵袋が装着されていることを検知すると、前記突起部は前記蓋体が閉状態となる位置に移動する電気掃除機とした。
【０００７】
これにより、集塵袋を装着していないと蓋体を閉じられないので集塵袋未装着による誤使用を防止できると共に、集塵袋を装着する際には口枠を吸気口に対応させて集塵室内に装着するという一動作でよく、また集塵袋を取り出す際には蓋体を開いた後は口枠を持ってこれを引き出すだけという一動作で済み、集塵袋の着脱が容易に行える。
【発明の効果】
【０００８】
本発明によれば、集塵袋の未装着による誤使用を防止しつつ集塵袋の着脱が容易に行え、その使い勝手を向上した電気掃除機を提供できる。
【発明を実施するための最良の形態】
【０００９】
第１の発明は、吸気口を有する集塵室及び塵埃吸引用の電動送風機を収納する電動送風機収納室を有する掃除機本体と、前記集塵室内に装着され、当該集塵室の前記吸気口に対応する吸気孔を有する口枠付きの集塵袋と、前記集塵室上方を開閉自在に覆う蓋体とを備え、前記蓋体には集塵袋検知体を設け、この集塵袋検知体は前記集塵室に集塵袋が装着されていないときに蓋体が閉状態とならないように防止する突起部及び前記集塵室に集塵袋が装着されていることを検知する検知部とを有していて、前記検知部が前記集塵室に集塵袋が装着されていることを検知すると、前記突起部は前記蓋体が閉状態となる位置に移動する電気掃除機とした。
【００１０】
これにより、集塵袋を装着していないと蓋体を閉じられないので集塵袋未装着による誤使用を防止できると共に、集塵袋を装着する際には口枠を吸気口に対応させて集塵室内に装着するという一動作でよく、また集塵袋を取り出す再は蓋体を開いた後は口枠を持ってこれを引き出すだけという一動作で済み、集塵袋の着脱が容易に行える。
【００１１】
第２の発明の集塵袋検知体は、蓋体が閉状態となるにつれ集塵袋の口枠に当接して検知部が移動し、その移動によって突起部が蓋体閉状態可能な位置まで移動する構成としてあり、前記第１発明と同様の効果が期待できる。
【００１２】
第３の発明の集塵袋検知体は、突起部と検知部との間を回動自在に支持するとともに、突起部は検知部が集塵室に集塵袋が装着されていることを検知しないときには蓋体が閉状態とならない所に位置する構成としたものであり、突起部の移動を回動によって行う構成としているので、移動をスライド等によって行う場合に比べ狭いスペースに設置することができ、小型化が可能ととなる。
【００１３】
第４の発明の集塵袋検知体は、弾性体によって集塵袋未装着時には突起部が蓋体閉状態とできない所に位置するように附勢した構成としてあり、突起部は常時蓋体を閉状態とできない所に位置しているので、突起部が不用意に蓋体閉状態とすることが出来るところに位置して集塵袋未装着のまま蓋体が閉じられるという事態を防止できる。
【００１４】
第５の発明の集塵袋検知体は、弾性体によって集塵袋未装着時には突起部が蓋体閉状態とできない所に位置するように附勢するとともに、検知部の一部に集塵袋の口枠に係合して口枠を集塵室の吸気口側に附勢する構成としてあり、従来例で示したような口枠押えがなくても口枠を吸気口に密着させることができ、口枠押さえを不要とする分構成の簡素化が可能となる。
【００１５】
第６の発明は、集塵室の吸気口左右両側に集塵袋の位置決め部を設け、この位置決め部同志間の上方を開放状態とした構成としてあり、集塵袋を装着する際に上方より吸気口を容易に目視でき、取付けが行えるために安定した状態で取付けが行える。そのため集塵袋の誤挿入を防ぐことができる。また、集塵袋を取り出す際に、口枠、吸気孔に引っ掛るものもなく、集塵袋内のゴミがこぼれる事がない。このように誤挿入、取出し時に発生するゴミ漏れによる電気掃除機の故障を防止するものである。
【００１６】
以下、本発明の実施の形態について、図面を参照しながら説明する。なお、本実施の形態によって本発明が限定されるものではない。
【００１７】
（実施の形態１）
本発明の第１の実施の形態について、図１〜図６を用いて説明する。
【００１８】
図１、２、３において、１は前方に吸気口２を有する集塵室３と後方に電動送風機（図示しない）を有する電動送風機室（図示しない）を具備した掃除機本体で、吸気口２部には掃除機本体１とホース（図示せず）のエアータイト用のパッキンａ４を具備したものである。また集塵室３上方は開放状態となっており、開放部上端全周にパッキンＢ５を有したものである。６は掃除機本体にその後方部を支点として回動自在に設けた蓋体で、集塵室３の上方開口部を覆うものである。この蓋体６は、パッキンＢ５と平面が略同形状で蓋体が閉状態となった時パッキンＢ５と圧接しエアータイトを行うタイトリブ７を有している。集塵室３内には口枠８を有した集塵袋９が着脱自在に装着してある。この集塵袋９は、口枠８の吸気孔８ａを集塵室３の吸気口２に対向させつつ、当該集塵室３の吸気口３左右に位置するリブ等からなる位置決め部１０に差し込んでいき、その口枠下端を集塵室底面で口枠の前後位置を決めるリブ等の補助位置決め部１１に嵌合させて装着してあり、位置決め部１０と補助位置決め部１１とで口枠８を位置決めされている。なお、上記左右の位置決め部１０同志間の上方には従来例で説明したような口枠押さえはなく開放状態としてある。
【００１９】
１２は前記蓋体６の前方内面に設けた集塵袋検知体で、図１、４に示すように蓋体内面に設けたリブを利用して回動自在に取付けてある。この集塵袋検知体１２は回動支持部を中心として後方に検知部１２を、前方に突起部１２ａを有するもので、これら両者は本実施例では一体成形してある。そして、前記集塵袋検知体１２は、蓋体６が閉状態とならない位置に突起部１２ａを構成し、蓋体６が閉状態となるにつれ、口枠８に当接される位置に検知部１２Ｂを設けた構成としてある。加えて上記集塵袋検知体１２はバネ体（弾性体）１３により突起部１２ａが、蓋体６が閉状態とならないようにする位置、この実施例ではタイトリブ７の外に突出する位置に常時附勢して設けてある。また、上記集塵袋検知体１２はその検知部１２の前記口枠８と当接する部分であって、前記突起部１２ａがタイトリブ７の外に突出したときに口枠８に係合する係合部１２Ｃが設けてあり、この係合により前記バネ体１３の附勢力によって口枠８を集塵室３の吸気口２側に附勢してこれに密接させる構成としてある。
【００２０】
以上のように構成された電気掃除機について、以下その動作、作用を説明する。
【００２１】
図４のように、蓋体６が開放状態の時、集塵袋検知体１２はバネ体１３により突起部１２ａがタイトリブ７の外に突出する位置に附勢されている。
【００２２】
この状態で集塵袋９を集塵室３内にセットするにはその口枠８を何らの操作を要することなくそのまま位置決め部１０に嵌合していけばよい。そしてこの状態、すなわち、集塵室３内の所定の位置に口枠８がセットされ集塵袋が挿入されている状態で、蓋体６を閉状態となるように回動させると、図５（ａ）のように集塵袋検知体１２の検知部１２Ｂが口枠８の上端部に当接をする。さらに閉状態に回動させると図５（ｂ）のように、検知部１２Ｂが上方に回動をし始め同時に突起部１２ａがタイトリブ７から遠ざかるように回動を行う。最終的に図３のように蓋体６が所定の位置まで回動して閉状態となり、タイトリブ７とパッキンＢ５が当接しエアータイトが行える。そして口枠８が吸気口２に密接される。
【００２３】
次に図６のように、集塵室３に口枠８が挿入されていないときは、蓋体６を閉状態に回動させても、集塵袋検知体１２の突起部１２ａがタイトリブ７の外に突出したままのため、タイトリブ７とパッキンＢ５の間に突起部１２ａが挟まり蓋体６が完全に閉まらない状態となるものである。
【００２４】
また、集塵袋９を集塵室３から取り外すときは蓋体６を開けるだけでよく、これにより集塵袋検知体１２がバネ体１３の附勢力によって回動しその突起部１２ａがタイトリブ７の外方向に移動するとともに検知部１２Ｂの係合部１２Ｃが口枠８から外れる。したがって口枠８を持ってこれまた何らの操作をすることなくそのままこれを抜き出せばよい。
【００２５】
このように、集塵袋検知体１２を蓋体６に設け、使用者が誤って集塵袋９を集塵室３にセットしない状態で使用してしまうことを防止するとともに、集塵袋９の着脱は一動作で行える。また、上記集塵袋９を装着する際に、上方より吸気口を容易に目視でき、取付けが行えるために安定した状態で取付けが行える。そのため集塵袋９の誤挿入を防ぐことができる。また、集塵袋９を取り出す際に、口枠、吸気孔に引っ掛るものもなく、集塵袋内のゴミがこぼれる事がない。このように誤挿入、取出し時に発生するゴミ漏れによる電気掃除機の故障も防止できるものである。
【００２６】
また、集塵袋検知体１２は、蓋体６が閉状態となるにつれ集塵袋の口枠８に当接して検知部１２Ｂが移動し、その移動によって突起部突起部１２ａが蓋体閉状態可能な位置まで移動する構成としてあるから集塵袋検知体を移動させるための駆動源を特別に必要としない。
【００２７】
加えて蒸気集塵袋検知体１２は、突起部１２ａと検知部１２Ｂとの間を回動自在に支持するとともに、突起部１２ａは検知部が集塵室３に集塵袋９が装着されていることを検知しないときには蓋体６が閉状態とならない所に位置する構成としたものであり、突起部１２ａの移動を回動によって行うので、移動をスライド等によって行う場合に比べ狭いスペースに設置することができ、小型化が可能ととなる。
【００２８】
更に上記集塵袋検知体１２は、弾性体によって集塵袋未装着時には突起部１２ａが蓋体閉状態とできない所に位置するように附勢した構成としてあって、常時蓋体を閉状態とできない所に位置しているので、突起部１２ａが不用意に蓋体閉状態とすることが出来るところに位置して集塵袋未装着のまま蓋体が閉じられるという事態を防止できる。
【００２９】
また上記集塵袋検知体は、弾性体によって集塵袋未装着時には突起部が蓋体閉状態とできない所に位置するように附勢するとともに、検知部の一部に集塵袋の口枠に係合して口枠を集塵室の吸気口側に附勢する構成としてあり、従来例で示したような口枠押えがなくても口枠を吸気口に密着させることができ、口枠押さえを不要とする分構成の簡素化が可能となる。
【００３０】
なお、上記実施例では集塵袋検知体１２を回動するもので説明したが、突起部と検知部をカム機構等を用いて連携させるなどして突起部及び検知部ともがスライドするようなタイプにしても良いし、口枠８を集塵室の吸気口に密接させるために集塵袋検知体１２をバネ体で附勢すると共にその検知部に係合部を設けた場合で説明したが、集塵袋検知体にこのような機能を持たせることなく別途口枠密接用のリブ等を蓋体に設けるなどしても良いものであり、本発明の趣旨を満足するものであればどのような構成としても良いものである。
【産業上の利用可能性】
【００３１】
以上のように、本発明にかかる電気掃除機は、集塵袋の未装着のままの誤使用を防止できると共に、この集塵袋の着脱も容易に行え、使い勝手が大きく向上し、特に家庭、業務用等の電気掃除機に有用である。
【図面の簡単な説明】
【００３２】
【図１】本発明の実施の形態１における電気掃除機の要部断面図
【図２】同、電気掃除機の要部矢視図
【図３】同、電気掃除機の要部断面矢視図
【図４】同、電気掃除機の要部断面図
【図５】（ａ）同、電気掃除機の要部断面図（ｂ）同、電気掃除機の要部断面図
【図６】同、電気掃除機の要部断面図
【符号の説明】
【００３３】
３  集塵室
５  パッキンＢ
６  蓋体
７  タイトリブ
８  口枠
９  集塵袋
１２  集塵袋検知体
１２ａ  突起部
１２Ｂ  検知部
【図１】
2006314350.tif 000003
【図２】
2006314350.tif 000004
【図３】
2006314350.tif 000005
【図４】
2006314350.tif 000006
【図５】
2006314350.tif 000007
【図６】
2006314350.tif 000008